【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
印刷装置に設けられた印刷材供給管に接続される印刷材供給口を供えたカートリッジであって、
前記印刷材供給口の有効面積は、前記印刷材供給管の有効面積の１倍以上、５倍以下である、カートリッジ。
【請求項２】
前記印刷材供給口の有効面積は、前記印刷材供給管の有効面積の２倍以上、４．５倍以下である、請求項１に記載のカートリッジ。
【請求項３】
前記印刷材供給口の有効面積は、前記印刷材供給管の有効面積の３倍以上、４倍以下である、請求項１に記載のカートリッジ。
【請求項４】
前記カートリッジは、
互いに対向する第１面及び第２面と、
前記第２面及び前記第１面と交差し、互いに対向する第３面及び第４面と、
前記第１面乃至前記第４面と交差し、互いに対向する第５面及び第６面と、を有し、
前記印刷材供給口は、前記第１面に設けられており、
前記第１面と前記第２面との間の距離を高さとし、前記第３面と前記第４面との間の距離を奥行きとし、前記第５面と前記第６面との間の距離を幅とすると、
前記奥行きは前記高さよりも大きく、前記高さは前記幅よりも大きく、
前記印刷材供給口の奥行き方向の有効寸法は、前記印刷材供給管の前記奥行き方向の有効寸法の１倍以上、５倍以下である、請求項１に記載のカートリッジ。
【請求項５】
前記カートリッジは、
互いに対向する第１面及び第２面と、
前記第１面及び前記第２面と交差し、互いに対向する第３面及び第４面と、
前記第１面乃至前記第４面と交差し、互いに対向する第５面及び第６面と、を有し、
前記印刷材供給口は、前記第１面に設けられており、
前記第１面と前記第２面との間の距離を高さとし、前記第３面と前記第４面との間の距離を奥行きとし、前記第５面と前記第６面との間の距離を幅とすると、
前記奥行きは前記高さよりも大きく、前記高さは前記幅よりも大きく、
前記印刷材供給口の奥行き方向の有効寸法は、前記印刷材供給管の前記奥行き方向の有効寸法の１．５倍以上、４倍以下である、請求項１に記載のカートリッジ。
【請求項６】
前記カートリッジは、  互いに対向する第１面及び第２面と、
前記第１面及び前記第２面と交差し、互いに対向する第３面及び第４面と、
前記第１面乃至前記第４面と交差し、互いに対向する第５面及び第６面と、を有し、
前記印刷材供給口は、前記第１面に設けられており、
前記第１面と前記第２面との間の距離を高さとし、前記第３面と前記第４面との間の距離を奥行きとし、前記第５面と前記第６面との間の距離を幅とすると、
前記奥行きは前記高さよりも大きく、前記高さは前記幅よりも大きく、
前記印刷材供給口の奥行き方向の有効寸法は、前記印刷材供給管の前記奥行き方向の有効寸法の２倍以上、３倍以下である、請求項１に記載のカートリッジ。
【請求項７】
前記印刷材供給口及び前記印刷材供給管の有効面積は、前記印刷材供給口及び前記印刷材供給管内に設けられたフィルターの有効面積によって規定される、請求項１乃至６のいずれかに記載のカートリッジ。
【請求項８】
前記印刷材供給口及び前記印刷材供給管の前記奥行き方向の有効寸法は、前記印刷材供給口及び前記印刷材供給管内に設けられたフィルターの前記奥行き方向の有効寸法によって規定される、請求項４乃至６のいずれかに記載のカートリッジ。
【手続補正２】
【補正対象書類名】明細書
【補正対象項目名】００１２
【補正方法】変更
【補正の内容】
【００１２】
本発明に係るカートリッジは、互いに対向する第１面及び第２面と、前記第１面及び前記第２面と交差し、互いに対向する第３面及び第４面と、前記第１面乃至前記第４面と交差し、互いに対向する第５面及び第６面と、を有し、前記印刷材供給口は、前記第１面に設けられており、前記第１面と前記第２面との間の距離を高さとし、前記第３面と前記第４面との間の距離を奥行きとし、前記第５面と前記第６面との間の距離を幅とすると、前記奥行きは前記高さよりも大きく、前記高さは前記幅よりも大きく、前記印刷材供給口の前記奥行き方向の有効寸法は、前記印刷材供給管の前記奥行き方向の有効寸法の１．５倍以上、４倍以下である。
【手続補正３】
【補正対象書類名】明細書
【補正対象項目名】００１３
【補正方法】変更
【補正の内容】
【００１３】
本発明に係るカートリッジは、互いに対向する第１面及び第２面と、前記第１面及び前記第２面と交差し、互いに対向する第３面及び第４面と、前記第１面乃至前記第４面と交差し、互いに対向する第５面及び第６面と、を有し、前記印刷材供給口は、前記第１面に設けられており、前記第１面と前記第２面との間の距離を高さとし、前記第３面と前記第４面との間の距離を奥行きとし、前記第５面と前記第６面との間の距離を幅とすると、前記奥行きは前記高さよりも大きく、前記高さは前記幅よりも大きく、前記印刷材供給口の前記奥行き方向の有効寸法は、前記印刷材供給管の前記奥行き方向の有効寸法の２倍以上、３倍以下である。
【手続補正４】
【補正対象書類名】明細書
【補正対象項目名】００４５
【補正方法】変更
【補正の内容】
【００４５】
本実施形態では、カートリッジ２０の奥行きＤ（Ｘ軸方向の長さ）、幅Ｗ（Ｙ軸方向の長さ）、高さＨ（Ｚ軸方向の長さ）は、奥行きＤ、高さＨ、幅Ｗの順に大きい。
すなわち、奥行きＤは高さＨよりも大きく、高さＨは幅Ｗよりも大きい。
【手続補正５】
【補正対象書類名】明細書
【補正対象項目名】００９０
【補正方法】変更
【補正の内容】
【００９０】
図１２は、ホルダー６００のインク供給管６４０及びカートリッジ２０のインク供給口２８０の拡大図である。（ａ）はホルダー６００のインク供給管６４０の拡大図（図４のＦ１３Ａ拡大図）である。（ｂ）はカートリッジ２０のインク供給口２８０の拡大図（図１０のＦ１３Ｂ拡大図）である。
【手続補正６】
【補正対象書類名】明細書
【補正対象項目名】００９３
【補正方法】変更
【補正の内容】
【００９３】
カートリッジ２０のインク供給口２８０には、発泡樹脂体２８４がある。発泡樹脂体２８４は、インク供給口２８０に対して溶着される。発泡樹脂体２８４の表面には、楕円環形の溶着痕２８４Ｈが現れている。インクは発泡樹脂体２８４を介して供給される。
インクは発泡樹脂体２８４のうち、インクが通過できるのは、溶着痕２８４Ｈに囲まれた範囲である。この範囲（部位）は、有効部２８４Ｓである。
有効部２８４Ｓの奥行き方向の寸法Ｍは、８．８ｍｍ以上、４４ｍｍ以下である。有効部２８４Ｓの奥行き方向の寸法Ｍの最適値は、１８．３ｍｍである。
有効部２８４Ｓの面積Ｔは、３５．２５mm２以上、１７６．２５ｍｍ２以下である。有効部２８４Ｓの面積Ｔの最適値は、１３１．７６mm２である。
【手続補正７】
【補正対象書類名】明細書
【補正対象項目名】００９９
【補正方法】変更
【補正の内容】
【００９９】
カートリッジ２０の奥行きＤは高さＨよりも大きく、高さＨは幅Ｗよりも大きい。また、インク供給口２８０の奥行き方向の有効寸法Ｍは、８．８ｍｍ以上、４４ｍｍ以下である。インク供給管６４０の奥行き方向の有効寸法Ｌは、８．８ｍｍである。
したがって、インク供給口２８０の奥行き方向の有効寸法Ｍは、インク供給管６４０の奥行き方向の有効寸法Ｌの１倍以上、５倍以下である。有効部２８４Ｓの奥行き方向の寸法Ｍが最適値である１８．３ｍｍの場合には、インク供給管６４０の奥行き方向の有効寸法Ｌの２．０８倍である。
奥行き方向が最も大きいカートリッジ２０では、奥行き方向の大きさを有効利用することで、カートリッジ２０の大型化を招くことなく、上記の効果を実現することが可能となる。
【手続補正８】
【補正対象書類名】明細書
【補正対象項目名】０１００
【補正方法】変更
【補正の内容】
【０１００】
さらに、カートリッジ２０の奥行きＤは高さＨよりも大きく、高さＨは幅Ｗよりも大きい。そして、インク供給口２８０の奥行き方向の有効寸法Ｍは、１３．２ｍｍ以上、３５．２ｍｍ以下が好ましい。インク供給管６４０の奥行き方向の有効寸法Ｌは、８．８ｍｍである。
この場合は、インク供給口２８０の奥行き方向の有効寸法Ｍは、インク供給管６４０の奥行き方向の有効寸法Ｌの１．５倍以上、４倍以下である。
奥行き方向が最も大きいカートリッジ２０では、奥行き方向の大きさを有効利用することで、カートリッジ２０の大型化を招くことなく、上記の効果をより確実に実現することが可能となる。
【手続補正９】
【補正対象書類名】明細書
【補正対象項目名】０１０１
【補正方法】変更
【補正の内容】
【０１０１】
特に、カートリッジ２０の奥行きＤは高さＨよりも大きく、高さＨは幅Ｗよりも大きい。そして、インク供給口２８０の奥行き方向の有効寸法Ｍは、１７．６ｍｍ以上、２６．４ｍｍ以下が好ましい。インク供給管６４０の奥行き方向の有効寸法Ｌは、８．８ｍｍである。
この場合は、インク供給口２８０の奥行き方向の有効寸法Ｍは、インク供給管６４０の奥行き方向の有効寸法Ｌの２倍以上、３倍以下である。
奥行き方向が最も大きいカートリッジ２０では、奥行き方向の大きさを有効利用することで、カートリッジ２０の大型化を招くことなく、上記の効果をさらに確実に実現することが可能となる。
【手続補正１０】
【補正対象書類名】明細書
【補正対象項目名】０１１４
【補正方法】変更
【補正の内容】
【０１１４】
さらに、カートリッジ２０の奥行きＤは高さＨよりも大きく、高さＨは幅Ｗよりも大きい場合において、インク供給口２８０の奥行き方向の有効寸法Ｍをインク供給管６４０の奥行き方向の有効寸法Ｌの１．５倍以上、４倍以下にしたので、上記の効果をより確実に実現することが可能となる。
【手続補正１１】
【補正対象書類名】明細書
【補正対象項目名】０１１５
【補正方法】変更
【補正の内容】
【０１１５】
特に、カートリッジ２０の奥行きＤは高さＨよりも大きく、高さＨは幅Ｗよりも大きい場合において、インク供給口２８０の奥行き方向の有効寸法Ｍをインク供給管６４０の奥行き方向の有効寸法Ｌの２倍以上、３倍以下にしたので、上記の効果をさらに確実に実現することが可能となる。
【手続補正１２】
【補正対象書類名】明細書
【補正対象項目名】０１２３
【補正方法】変更
【補正の内容】
【０１２３】
図１６（Ｇ）に示すカートリッジ２０ｇは、第８面２０８が第１面２０１まで延長されて第７面２０７が省略されており、さらに、第３面２０３の途中から第８面２０８とほぼ平行に切り込まれたような形状の溝が形成されている。そして、この溝によって隔てられた第３面２０３の２つの部位のうち、第８面に近い部位の方に、第１カートリッジ側係止部２１０が設けられている。この点を除き、本実施形態のカートリッジ２０と同様である。